(57)【要約】  【課題】  陰茎の根元にドーナツ盤状のゴム板を装着して締め付ける考案は、圧迫力が根元にのみ集中して疼痛感があり、輸精管を圧迫するため射精困難となり、取り外すと勃起力の持続が不十分になる。二重壁に形成した気密な円筒体に気体を事前に圧入する考案は、手数を要し、行為中に気体を放出しなければ生理的感触が得られず、気体を放出すると急激に勃起力が萎えて不能になる。  【解決手段】  ゴム材製又はシリコン樹脂材製の、柔軟で適度の厚みを有する素材を用い、亀頭部と茎部を一体に連設した内包部材を成形し、内包部材より硬質で厚みが薄い外包部材の内面と、外包部材の一方の端部外縁面に接着剤を塗布し、内包部材に外包部材を合着する。  【選択図】  図１
0003107670.tif 000002
【実用新案登録請求の範囲】
【請求項１】
ゴム材製又はシリコン樹脂材製の素材を用い、亀頭部と茎部を一体に連設した柔軟で適度の厚みを有する内包部材を成形し、内包部材より硬質で厚みが薄い素材により成形した外包部材の内面と、外包部材の一方の端部外縁面に、人体に無害であると共に接着力が抜群で、然も着脱が容易な材質の接着剤を塗布し、内包部材を外包部材で合着して成る勃起力持続補助具。
【請求項２】
ゴム材製又はシリコン樹脂材製の素材を用い、柔軟で適度の厚みを有すると共に亀頭部を除く茎部のみからなる内包部材を成形し、内包部材より硬質で厚みが薄い外包部材の内面と、外包部材の一方の端部外縁面に接着剤を塗布し、内包部材を外包部材で合着して成る勃起力持続補助具。  
【考案の詳細な説明】
【技術分野】
【０００１】
本考案は心因性障害や、加齢に伴う性機能低下に伴い陰茎の勃起力持続が困難な場合に、勃起力を持続できる補助具に関する。
【背景技術】
【０００２】
一般に心因性障害で陰茎の勃起力不全を起こしたり、加齢に伴い性機能が低下し勃起力不全を起こしている。このような悩みを解消するため日本泌尿器学会での実証報告書等を背景として強制的に勃起させる陰圧式陰茎勃起補助具が提唱されているのに対し、比較的軽度の症状で勃起はするが持続しない者を対象とする発明として
１  一面に雄型ベルクロを、他面に雌型ベルクロを張り付けたドーナツ盤状のゴム板を一個所だけ切断した補助具を、自力で勃起した陰茎の根元に装着して挟み付け、該ベルクロの接合で根元を圧迫して締め付けることにより血行の逆流を阻止し、行為中に勃起力が萎えるのを防止する器具がある。
【０００３】
例えば
【特許文献１】特開平９ー８４８１５号公報  ２  良質のゴム材を二重壁に形成した気密な円筒体を形成し、その円筒体を陰茎に被せて円筒体の空隙内に気体を圧入し、円筒体の膨張により自力で勃起した陰茎を締め付けることにより血行の逆流を阻止し、装着の違和感をなくし行為中に勃起力が萎えるのを防止する器具がある。
【０００４】
例えば
【特許文献２】特開平８ー７１０９５号公報
【考案の開示】
【考案が解決しようとする課題】
【０００５】
１  陰茎の根元にドーナツ盤状のゴム板を装着して締め付ける場合、圧迫力が根元にのみ集中して疼痛感があり、又、輸精管を圧迫するため射精困難となって満足感を得られず、取り外すと勃起力の持続が不十分になる恐れがある。
【０００６】
２  二重壁に形成した気密な円筒体に気体を事前に圧入する手数を要し又、行為中に気体を放出しなければ生理的感触が得られず、気体を放出すると急激に勃起力が萎えて不能になる恐れがある。
【課題を解決するための手段】
【０００７】
ゴム材製又はシリコン樹脂材製の、適度の柔軟性と厚みを有する素材を用い、  請求項１の考案は、亀頭部と茎部を一体に連設した柔軟で適度の厚みを有する縦割り状の内包部材を成形し、内包部材より硬質で厚みが薄いゴム材製又はシリコン樹脂材製の素材により方形板状の外包部材を成形し、外包部材の内面と、外包部材の一方の端部外縁面に、人体に無害であると共に接着力が抜群で、然も着脱が容易な材質の接着剤を塗布し、内包部材と外包部材を重ね合わせて合着し、内包部材を勃起した陰茎に抱持させて両端部を閉じ、外包部材の一方の端部外縁面を、外包部材の他方の糊付けした端部外縁面上に合着して着用するのであり、内包部材の略全外面にわたり多数の小突起群を一体に設けている。尚、接着剤としては、最近、紐無し乳房パットに用いられている糊材を使用する。
【０００８】
請求項２の考案は、ゴム材製又はシリコン樹脂材製の、適度の柔軟性と厚みを有する素材を用い、亀頭部を除く茎部のみに被せる内包部材を成形し、内包部材より硬質で厚みが薄いゴム材製又はシリコン樹脂材製の素材により方形板状の外包部材を成形し、内包部材の内面と、外包部材の一方の端部外縁面に、前記接着剤を塗布し、内包部材に外包部材を重ね合わせ合着した構成であり、内包部材を勃起した陰茎に適当な圧迫度に調整して抱持させ、勃起力の持続を図ることを目的とする。
【考案の効果】
【０００９】
勃起した陰茎を適当な圧迫度に調整して抱持すると、勃起力の持続が得られる。
接着力が強力なため、着用時に妄りに外れる恐れがない。事後簡単に取り外すことができ、然も人体に無害である。
【考案を実施するための最良の形態】
【００１０】
図１は、請求項１に係る本考案を示す縦方向へ半開き状態の正面図、図２は同、合着させた状態を示す正面図、図３ａは、請求項２に係る本考案の合着させた状態を示す平面図、図３ｂは同、正面図である。
請求項１の考案は、ゴム材製又はシリコン樹脂材製の、適度の柔軟性と厚みを有する素材を用い、亀頭部１と茎部２を一体に連設した縦割り状の内包部材３を成形し、内包部材３より硬質で厚みが薄いゴム材製又はシリコン樹脂材製の素材により方形板状の外包部材５を成形し、外包部材５の内面５ａと、外包部材の一方の端部外縁面５ｂに、人体に無害であると共に接着力が抜群で、然も着脱が容易な材質の接着剤を塗布し、内包部材３と外包部材５を重ね合わせて合着し、内包部材３を勃起した陰茎に抱持させて両端部を閉じ、外包部材５の一方の端部外縁面を、外包部材５の他方の糊付けした端部外縁面上５ｂに合着して着用するのであり、内包部材３の外面にわたり多数の小突起群４を一体に設けている。尚、接着剤としては、最近、紐無し乳房パットに用いられている糊材を使用する。
【００１１】
請求項２の考案は、亀頭部１を除く茎部２のみからなる内包部材３の外面にわたり多数の小突起群４を設け、前記外包部材５の内面５ａ及び一方の端部外縁面５ｂに、前記接着剤を塗布し、内包部材３に外包部材５を合着して成るものである。
【００１２】
本考案を使用する際、外包部材５と一体の内包部材３を陰茎に抱持させて着用し、或は着用後に、更に外包部材５に避妊用サックを被せて使用すると、違和感がなく又、請求項１の場合、内包部材３を調整して陰茎に抱着すると、亀頭部１から亀頭が半ば露出しており又、請求項２の場合、亀頭は全部露出しているため性感を損なわず、射精の障害にならない。
【００１３】
事後、簡単に取り外すことができ、皮膚に何等の悪影響を及ぼさない。又、使用後、洗浄すると再使用できる。
【産業上の利用可能性】
【００１４】
高齢者社会の到来が確実な現今において、何時までも若々しくありたい願望に副うことができ、市場価値のある考案である。
【図面の簡単な説明】
【００１５】
【図１】請求項１に係る本考案を示す縦方向へ半開き状態の正面図。
【図２】同、合着させた状態を示す正面図。
【図３】ａ  請求項２に係る本考案の合着させた状態を示す平面図。
【００１６】
ｂ  同、正面図である。
【符号の説明】
【００１７】
１    亀頭部    ２    茎部    ３    内包部材      ５    外包部材      ５ａ  外包部材の内面    ５ｂ    外包部材の一方の端部外縁面        
【図１】
0003107670.tif 000003
【図２】
0003107670.tif 000004
【図３】
0003107670.tif 000005